(57)【要約】【課題】  ユーザの選択した方法で、放送信号に含まれるデータ信号の受信中であることを示す旨を通知する。【解決手段】  「通知位置」タブ５２が選択された状態においては、チェックボックス５３，５８、または５９のいずれか１つが選択可能とされている。チェックボックス５３を選択した場合、当該通知位置が画面上に設定され、さらに、チェックボックス５４乃至５７のいずれか１つが選択可能とされる。チェックボックス５９を選択した場合、当該通知が行われないように設定される。本発明は、例えば、地上デジタルテレビジョン放送用の受信装置に適用できる。【選択図】  図３
2005102005.tif 000002
【特許請求の範囲】
【請求項１】
デジタル放送信号を受信する受信装置において、
前記デジタル放送信号に含まれるデータ信号を受信する受信手段と、
前記受信手段による前記データ信号の受信状況をユーザに通知する通知手段と、
前記通知手段による前記受信状況の通知方法を設定する設定手段と、
前記設定手段による前記通知方法の設定に基づき、前記通知手段を制御する制御手段と
を含むことを特徴とする受信装置。
【請求項２】
前記設定手段は、前記通知方法に関する選択肢を表示させ、前記選択肢に対する前記ユーザの操作に基づき、前記通知手段による前記受信状況の通知方法を設定する
ことを特徴とする請求項１に記載の受信装置。
【請求項３】
前記設定手段は、前記通知手段による前記受信状況の通知の有無を設定する
ことを特徴とする請求項１に記載の受信装置。
【請求項４】
前記設定手段は、前記通知手段による前記受信状況の表示位置を設定する
ことを特徴とする請求項１に記載の受信装置。
【請求項５】
デジタル放送信号を受信する受信方法において、
前記デジタル放送信号に含まれるデータ信号を受信する受信ステップと、
前記受信ステップの処理による前記データ信号の受信状況をユーザに通知する通知ステップと、
前記通知ステップの処理による前記受信状況の通知方法を設定する設定ステップと、
前記設定ステップの処理による前記通知方法の設定に基づき、前記通知ステップの処理を制御する制御ステップと
を含むことを特徴とする受信方法。
【請求項６】
デジタル放送信号を受信するためのプログラムであって、
前記デジタル放送信号に含まれるデータ信号を受信する受信ステップと、
前記受信ステップの処理による前記データ信号の受信状況をユーザに通知する通知ステップと、
前記通知ステップの処理による前記受信状況の通知方法を設定する設定ステップと、
前記設定ステップの処理による前記通知方法の設定に基づき、前記通知ステップの処理を制御する制御ステップと
を含む処理をコンピュータに実行させることを特徴とするプログラム。
【発明の詳細な説明】
【技術分野】
【０００１】
本発明は、受信装置および方法、並びにプログラムに関し、例えば、デジタル放送信号に含まれるデータ信号を受信する場合に用いて好適な受信装置および方法、並びにプログラムに関する。
【背景技術】
【０００２】
例えば、現在放送が行われているＢＳデジタル放送およびＣＳデジタル放送、並びに、まもなく放送が開始される地上デジタルテレビジョン放送等においては、放送信号に、番組の映像と音声の信号（以下、ＡＶ信号と称する）の他、例えば、番組表を表示するためのデータや、各番組の内容を表示するためのデータ等のデータ信号も含まれている。
【０００３】
上述したようなデータ信号を含む放送信号を受信する受信装置では、ユーザがチャンネルを切り換える毎に、切り換え後のチャンネルのＡＶデータが受信され、さらに、切り換え後のチャンネルのデータ信号も受信するようになされている（例えば、非特許文献１参照）。これは、例えば、ユーザから、視聴中の番組の情報（番組内容等）の表示を指示する操作が行われた際、当該操作に対応して速やかに、当該情報を表示できるようにするためである。
【０００４】
【非特許文献１】地上デジタルテレビジョン放送運用規定  技術資料  ARIB TR-B14
【発明の開示】
【発明が解決しようとする課題】
【０００５】
なお、従来の受信装置では、データ信号を受信している間、例えば、図１に示すように、画面に表示される番組の映像に重畳して、データ信号を受信中であることを示す旨の状態表示（例えば、「データ取得中です」）２が行われるようになされている。従って、この状態表示２に対して、鬱陶しく感じるユーザが少なからず存在しているという課題があった。
【０００６】
また、従来の受信装置によってデータ信号の受信が行われている最中に出力されるＡＶ信号を、例えば、VCR(Video Cassette Recorder)等によりアナログ信号として録画した場合、状態表示２も番組の映像に重畳した状態で記録されてしまうので、録画された番組を再生した際、その再生時にはデータ受信が行われていないにも拘わらず、再生画面上には、「データ取得中です」等の状態表示２が表示されてしまうという課題があった。
【０００７】
本発明はこのような状況に鑑みてなされたものであり、ユーザの選択に応じた方法に従い、放送信号に含まれるデータ信号の受信中であることを示す旨を通知するようにするものである。
【課題を解決するための手段】
【０００８】
本発明の受信装置は、デジタル放送信号に含まれるデータ信号を受信する受信手段と、受信手段によるデータ信号の受信状況をユーザに通知する通知手段と、通知手段による受信状況の通知方法を設定する設定手段と、設定手段による通知方法の設定に基づき、通知手段を制御する制御手段とを含むことを特徴とする。
【０００９】
前記設定手段は、通知方法に関する選択肢を表示させ、選択肢に対するユーザの操作に基づき、通知手段による受信状況の通知方法を設定するようにすることができる。
【００１０】
前記設定手段は、通知手段による受信状況の通知の有無を設定するようにすることができる。
【００１１】
前記設定手段は、通知手段による受信状況の表示位置を設定するようにすることができる。
【００１２】
本発明の受信方法は、デジタル放送信号に含まれるデータ信号を受信する受信ステップと、受信ステップの処理によるデータ信号の受信状況をユーザに通知する通知ステップと、通知ステップの処理による受信状況の通知方法を設定する設定ステップと、設定ステップの処理による通知方法の設定に基づき、通知ステップの処理を制御する制御ステップとを含むことを特徴とする。
【００１３】
本発明のプログラムは、デジタル放送信号に含まれるデータ信号を受信する受信ステップと、受信ステップの処理によるデータ信号の受信状況をユーザに通知する通知ステップと、通知ステップの処理による受信状況の通知方法を設定する設定ステップと、設定ステップの処理による通知方法の設定に基づき、通知ステップの処理を制御する制御ステップとを含む処理をコンピュータに実行させることを特徴とする。
【００１４】
本発明の受信装置および方法、並びにプログラムにおいては、デジタル放送信号に含まれるデータ信号の受信状況の通知方法が設定され、その設定に基づき、デジタル放送信号に含まれるデータ信号の受信状況の通知が制御される。
【発明の効果】
【００１５】
本発明によれば、ユーザの選択に応じた方法に従い、放送信号に含まれるデータ信号の受信中であることを示す旨を通知することが可能となる。
【発明を実施するための最良の形態】
【００１６】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００１７】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加されたりする発明の存在を否定するものではない。
【００１８】
本発明によれば、受信装置が提供される。この受信装置（例えば、図２の受信装置１０）は、デジタル放送信号に含まれるデータ信号を受信する受信手段（例えば、図２のフロントエンド部１７乃至デマルチプレクサ１９）と、受信手段によるデータ信号の受信状況をユーザに通知する通知手段（例えば、図３の表示部２３）と、通知手段による受信状況の通知方法を設定する設定手段（例えば、図３の設定画面５１の表示を制御する制御部１１）と、設定手段による通知方法の設定に基づき、通知手段を制御する制御手段（例えば、図５のステップＳ３の処理を制御する制御部１１）とを含む。
【００１９】
前記設定手段は、通知方法に関する選択肢（例えば、図３の設定画面５１）を表示させ、選択肢に対するユーザの操作に基づき、通知手段による受信状況の通知方法を設定するようにすることができる。
【００２０】
前記設定手段は、通知手段による受信状況の通知の有無を設定するようにすることができる（例えば、図３のチェックボックス５９）。
【００２１】
前記設定手段は、通知手段による受信状況の表示位置を設定するようにすることができる（例えば、図３のチェックボックス５４乃至５７）。
【００２２】
本発明によれば、受信方法が提供される。この受信方法によれば、デジタル放送信号に含まれるデータ信号を受信する受信ステップ（例えば、図５のステップＳ１）と、受信ステップの処理によるデータ信号の受信状況をユーザに通知する通知ステップ（例えば、図５のステップＳ３）と、通知ステップの処理による受信状況の通知方法を設定する設定ステップ（例えば、図５のステップＳ２）と、設定ステップの処理による通知方法の設定に基づき、通知ステップの処理を制御する制御ステップ（例えば、図５のステップＳ５）とを含むことを特徴とする。
【００２３】
なお、本発明のプログラムの請求項に記載の構成要件と、発明の実施の形態における具体例との対応関係は、上述した本発明の受信方法のものと同様であるので、その記載は省略する。
【００２４】
以下、本発明の一実施の形態である受信装置の構成例について、図１を参照して説明する。この受信装置１０において、制御部１１には、ユーザの操作を受け付けて対応する操作コマンドを生成する操作入力部１２、制御用プログラムが記憶されているROM１３、および各種のデータを記憶するRAM１４が接続されている。また、制御部１１には、バス１５を介して、通信部１６乃至リモコン通信部２４が接続されている。
【００２５】
制御部１１は、ROM１３に記録されている制御プログラムを実行することにより、バス１５を介して受信装置１０を構成する各部を制御する。操作入力部１２は、受信装置１０の筐体外面等に設けられる操作ボタン等から成り、ユーザの操作を受け付けて、対応する操作信号を制御部１１に出力する。通信部１６は、例えば、TCP/IP(Transmission Control Protocol/Internet Protocol)等に基づき、他の電子装置（不図示）と所定のデータを通信する。
【００２６】
フロントエンド部１７は、アンテナ（不図示）から入力される放送信号から、制御部１１からの選局に対応するチャンネル（物理周波数）のトランスポートストリーム（以下、ＴＳと記述する）を抽出して、デスクランブラ１８に出力する。デスクランブラ１８は、フロントエンド部１７から入力されるＴＳのスクランブルを適宜解除して、デマルチプレクサ１９に出力する。デマルチプレクサ１９は、デスクランブラ１８から入力されるＴＳから、ＡＶ信号を分離してMPEGデコーダ２０に出力する。また、デマルチプレクサ１９は、デスクランブラ１８から入力されるＴＳから、番組表を表示するためのデータや各番組の内容を表示するためのデータ等のデータ信号を分離して、バス１５を介して制御部１１に出力する。
【００２７】
MPEGデコーダ２０は、デマルチプレクサ１９から入力されたＡＶ信号をデコードし、その結果得られる映像信号および音声信号を、それぞれ映像信号処理部２１または音声信号処理部２２に出力する。映像信号処理部２１は、MPEGデコーダ２０から入力された映像信号を、後段のモニタ３０に適合するフォーマットに変換する。音声信号処理部２２は、MPEGデコーダ２０から入力された音声信号に対し、所定の音声処理を行う。モニタ３０は、映像信号処理部２１からの映像信号に対応する映像を表示するとともに、音声信号処理部２２からの音声信号に対応する音声を出力する。
【００２８】
表示部２３は、受信装置１０の動作状況をユーザに通知するためのメッセージやマーク等を表示する。リモコン通信部２４は、リモートコントローラ（不図示）から送信される赤外線信号等を受信して、それ対応する操作信号を制御部１１に出力する。
【００２９】
次に、受信装置１０の動作について説明する。例えば、ユーザによってチャンネルの切り替え操作が行われた場合、その操作は操作入力部１２あるいはリモートコントローラによって受け付けられ、その操作に対応する操作信号が制御部１１に入力される。制御部１１は、切り換えられたチャンネルの映像信号と音声信号がモニタ３０に出力されるように、各部を制御する。
【００３０】
フロントエンド部１７は、制御部１１の制御に従い、アンテナからの放送信号から、ユーザの選局に対応するチャンネルのＴＳを抽出して、デスクランブラ１８に出力する。デスクランブラ１８は、制御部１１の制御に従い、ＴＳにスクランブルが施されている場合、それを解除する。デマルチプレクサ１９は、制御部１１の制御に従い、スクランブルの解除されたＴＳから、ＡＶ信号を分離してMPEGデコーダ２０に出力する。
【００３１】
また、デマルチプレクサ１９は、制御部１１の制御に従い、デスクランブラ１８から入力されるＴＳからデータ信号を分離して、バス１５を介して制御部１１に出力する。
【００３２】
MPEGデコーダ２０は、制御部１１の制御に従い、デマルチプレクサ１９からのＡＶ信号をデコードし、その結果得られる映像信号および音声信号を、それぞれ映像信号処理部２１または音声信号処理部２２に出力する。映像信号処理部２１は、制御部１１の制御に従い、MPEGデコーダ２０から入力された映像信号を、後段のモニタ３０に適合するフォーマットに変換して、モニタ３０に出力する。音声信号処理部２２は、制御部１１の制御に従い、MPEGデコーダ２０から入力された音声信号に対し、所定の音声処理を施して、モニタ３０に出力する。
【００３３】
なお、ＡＶ信号とともに受信されるデータ信号の単位量の受信には、数秒間程度を要するので、モニタ３０に表示される映像と出力される音声が、切り換えられたチャンネルに対応するものに変更された後も、データ信号の受信が継続されている。データ信号の受信が継続されている期間、データ信号の受信中である旨がユーザに通知されるが、この通知方法については、ユーザが設定可能である。
【００３４】
次に、データ信号の受信中である旨の通知方法を設定するための設定画面について、図３および図４を参照して説明する。
【００３５】
図３は、予約録画が行われていない通常の視聴時における、データ信号の受信中である旨の通知方法を設定するための設定画面の表示例を示している。この設定画面５１は、操作入力部１２またはリモートコントローラに対する所定の操作に対応してモニタ３０に表示される。図３は、画面上の「通知位置」タブ５２が選択された状態を示している。「通知位置」タブ５２が選択された状態においては、チェックボックス５３，５８、または５９のいずれか１つが選択可能とされている。
【００３６】
チェックボックス５３を選択した場合、当該通知位置が画面上に設定され、さらに、チェックボックス５４乃至５７のいずれか１つが選択可能とされる。
【００３７】
チェックボックス５８を選択した場合、当該通知位置が受信装置１０のフロントパネル（筐体前面）に設けられた表示部２３に設定される。
【００３８】
チェックボックス５９を選択した場合、当該通知が行われないように設定される。
【００３９】
「通報方法」タブ６０が選択された場合、設定画面５１上の表示が、図４に示すように変更される。「通知方法」タブ６０が選択された状態においては、チェックボックス７１乃至７３のいずれか１つが選択可能とされている。
【００４０】
チェックボックス７１を選択した場合、当該通知が「データ取得中です」等のメッセージの表示によって通知されるように設定される。なお、設定画面５１において、当該メッセージの内容、サイズ、色等を設定できるようにしてもよい。
【００４１】
チェックボックス７２を選択した場合、当該通知が、所定のアイコンの表示によって通知されるように設定される。なお、設定画面５１において、当該アイコンを複数の選択肢の中から選択できるようにしてもよい。
【００４２】
チェックボックス７３を選択した場合、当該通知が、所定の音の出力によって通知されるように設定される。なお、設定画面５１において、当該音の音色、リズム等を複数の選択肢の中から選択できるようにしてもよい。
【００４３】
設定画面５１上の「予約実行中」ボタン６１が選択された場合、予約録画が行われている時における、データ信号の受信中である旨の通知方法を設定するための設定画面に変更される。なお、当該設定画面は、図３および図４と同様であるので、その説明は省略する。
【００４４】
設定画面５１に対するユーザの設定は、制御部１１によってRAM１４に保存される。
【００４５】
また、データ信号の受信中である旨の通知方法は、上述した例の他、例えば、リモートコントローラに設けられたディスプレイにメッセージ等を表示させたり、リモートコントローラに設けられたバイブレータを振動させたり、モニタ３０の筐体に設けられたLEDを発光させたり、受信装置１０に接続されるパーソナルコンピュータのディスプレイに表示させたりするようにしてもよい。
【００４６】
次に、受信装置１０によるデータ信号の受信中である旨の通知処理について、図５のフローチャートを参照して説明する。この通知処理は、ユーザの選局操作等に対応して、受信するチャンネルが切り換えられたときに開始される。
【００４７】
ステップＳ１において、制御部１１は、放送信号のＴＳに含まれるデータ信号の受信が開始されるまで待機する。データ信号の受信が開始された場合、処理はステップＳ２に進む。ステップＳ２において、制御部１１は、設定画面５１を用いた設定で、「通知しない」が選択されていたか否か（具体的には、チェックボックス５９が選択されていたか否か）を判定する。「通知しない」が選択されていた場合、当該通知処理は終了される。「通知しない」が選択されていなかった場合、処理はステップＳ３に進む。
【００４８】
ステップＳ３において、制御部１１は、設定画面５１を用いたユーザの設定に従い、データ信号の受信中である旨を通知する。ステップＳ４において、制御部１１は、一連のデータ信号の受信が終了するまで待機する。一連のデータ信号の受信が終了した場合、処理はステップＳ５に進む。ステップＳ５において、制御部１１は、ステップＳ３の処理で開始した、データ信号の受信中である旨の通知を解除する。以上で、通知処理の説明を終了する。
【００４９】
以上説明したように、本発明の一実施の形態である受信装置１０によれば、データ信号の受信中であることを示す旨の通知を、ユーザの選択に応じた方法で行うことができる。特に、当該通知が鬱陶しいと感じるユーザは、当該通知を行わないように設定することもできる。
【００５０】
また、当該通知を行わないように設定すれば、受信装置１０から出力されるアナログ映像信号に「データ取得中です」等のメッセージが重畳されないので、従来の受信装置によってデータ信号の受信が行われている最中に出力されるＡＶ信号を、受信装置１０の出力を録画して再生した際に「データ取得中です」等のメッセージが表示されることがない。
【００５１】
なお、本明細書において、本発明のプログラムを記述するステップは、記載された順序に従って時系列的に行われる処理はもちろん、必ずしも時系列的に処理されなくとも、並列的あるいは個別に実行される処理をも含むものである。
【図面の簡単な説明】
【００５２】
【図１】データ信号を受信中であることを示す旨の従来の表示例を示す図である。
【図２】本発明の一実施の形態である受信装置の構成例を示すブロック図である。
【図３】データ信号の受信中である旨の通知方法を設定するための設定画面の表示例を示す図である。
【図４】データ信号の受信中である旨の通知方法を設定するための設定画面の表示例を示す図である。
【図５】図２の受信装置による通知処理を説明するフローチャートである。
【符号の説明】
【００５３】
１０  受信装置，  １１  制御部，１２  操作入力部，  １７  フロントエンド部，  １８  デスクランブラ，  １９  デマルチプレクサ，  ２３  表示部，  ３０  モニタ，  ５１設定画面
【図１】
2005102005.tif 000003
【図２】
2005102005.tif 000004
【図３】
2005102005.tif 000005
【図４】
2005102005.tif 000006
【図５】
2005102005.tif 000007